(57)【要約】【課題】携帯端末のＱＲコード認識機能を利用して、インスタント食品をより簡単かつ手軽に調理できるようにする調理時間表示方法および調理時間計測方法を提供する。【解決手段】インスタント食品の調理時間表示方法は、インスタント食品の調理時間を、携帯電話のタイマー機能を呼び出すための識別子とともにバーコードまたは二次元コードにエンコードし、得られたバーコードまたは二次元コードを当該インスタント食品のパッケージに表示する。【選択図】図１
2009060263.tif 000002
【特許請求の範囲】
【請求項１】
インスタント食品の調理時間を、携帯電話のタイマー機能を呼び出すための識別子とともにバーコードまたは二次元コードにエンコードし、得られたバーコードまたは二次元コードを当該インスタント食品のパッケージに表示することを特徴とするインスタント食品の調理時間表示方法。
【請求項２】
前記バーコードまたは二次元コードは、さらに前記インスタント食品に関する文字列または画像をともにエンコードしていることを特徴とする請求項１に記載のインスタント食品の調理時間表示方法。
【請求項３】
前記バーコードまたは二次元コードは、さらに調理が終了したことを通知するためのサウンドデータをともにエンコードしていることを特徴とする請求項１または請求項２に記載のインスタント食品の調理時間表示方法。
【請求項４】
携帯端末の制御部で実行することによってインスタント食品の調理時間を計測するためのタイマー機能を実現するタイマープログラムを、当該タイマープログラムを呼び出すための識別子とともにバーコードまたは二次元コードにエンコードし、得られたバーコードまたは二次元コードを当該インスタント食品のパッケージに表示することを特徴とするインスタント食品の調理時間表示方法。
【請求項５】
タイマー機能とバーコードまたは二次元コードを認識する機能とを備えた携帯端末によって、インスタント食品のパッケージに表示されたバーコードまたは二次元コードを認識するステップと、
前記バーコードまたは二次元コードを認識することにより得られた識別子に応じて前記携帯電話の前記タイマー機能を呼び出すステップと、
前記バーコードまたは二次元コードを認識することにより得られた調理時間を携帯端末のタイマー機能によって計測するステップとを含むことを特徴とするインスタント食品の調理時間計測方法。
【請求項６】
前記携帯端末は文字列または画像を表示する機能をさらに有し、
前記バーコードまたは二次元コードを認識することにより得られた文字列または画像を表示するステップをさらに含むことを特徴とする請求項５に記載のインスタント食品の調理時間計測方法。
【請求項７】
前記携帯端末はサウンドデータを再生する機能をさらに有し、
前記タイマー機能によって前記調理時間が経過したことを計測すると、前記バーコードまたは二次元コードを認識することにより得られた音声データを再生するステップをさらに含むことを特徴とする請求項５または請求項６に記載のインスタント食品の調理時間計測方法。
【請求項８】
バーコードまたは二次元コードを認識する機能とを備えた携帯端末によって、インスタント食品のパッケージに表示されたバーコードまたは二次元コードを認識し、当該携帯端末の制御部で実行することにより当該インスタント食品の調理時間を計測するためのタイマー機能を実現するタイマープログラムと、当該タイマープログラムを呼び出すための識別子とを取得するステップと、
前記識別子に基づいて、前記携帯端末の制御部で前記タイマープログラムを実行することにより、前記インスタント食品の調理時間を計測するステップとを含むことを特徴とするインスタント食品の調理時間計測方法。
【請求項９】
さらに、前記携帯端末に前記タイマープログラムがインストールされていない場合にはインストールを行うステップを含むことを特徴とする請求項８に記載のインスタント食品の調理時間計測方法。
【発明の詳細な説明】
【技術分野】
【０００１】
本発明は、インスタント食品の調理時間表示方法および調理時間計測方法に関するものである。
【背景技術】
【０００２】
カップラーメン等のインスタント食品においては、例えば容器の蓋を開けて熱湯を注ぎ、所定の調理時間そのまま放置することによって調理を完成する調理方法が広く採用されている。また、インスタント食品によっては所定の調理時間だけ鍋の中で煮たり、電子レンジで加熱するものもある。インスタント食品の種類やメーカーによって調理時間は様々であり、インスタント食品を利用するユーザはパッケージに記載された加熱時間を確認してから調理を行うことが通常である。
【０００３】
一方、近時における携帯電話やＰＤＡ（Ｐｅｒｓｏｎａｌ  Ｄｉｇｉｔａｌ  Ａｓｓｉｓｔａｎｔ）のような携帯端末には、内蔵カメラによりバーコードや２次元コード（２次元バーコード）の画像を取得して解読する機能を備えたものが登場している。例えば、２００７年の現時点において日本国内で販売されている携帯電話の大部分は２次元コードの一種であるＱＲコードに対応しており、内蔵カメラをコードリーダーとして起動してＱＲコードを撮影し、撮影されたＱＲコードを解読することで種々の処理を行うサービスが実現されている。
【０００４】
ＱＲコードを利用した既存のサービスとしては、電話帳登録機能、メール連係機能、ブックマーク登録機能を挙げることができる。これらの機能は、ＱＲコードを解読することで得られたデータ中に各機能に対応した識別子が含まれている場合に実行される。例えば、電話帳登録機能は、電話帳登録機能に対応した識別子とともに、名前、電話番号、メールアドレス、住所等のデータをＱＲコードにエンコードし、これを携帯端末の内蔵カメラで撮影して解読することにより名前、電話番号、メールアドレスおよび住所等を認識するとともに、アドレス帳のプログラムを起動して認識されたデータを登録するものである。
【０００５】
また、メール連係機能は、宛先、標題、本文等のデータをＱＲコードにエンコードし、これを携帯端末で認識することにより宛先、標題、本文等の内容を認識するとともに、メーラーを起動して認識されたデータに沿ってメールを作成するものである。さらに、ブックマーク登録機能は、サイト名とタイトルを同じくＱＲコードにエンコードして、これを認識した携帯端末がブラウザを起動してブックマークに登録するものである。
【特許文献１】特開２００３−３３０８３１
【発明の開示】
【発明が解決しようとする課題】
【０００６】
まず、インスタント食品の分野では、インスタント食品の種類によって異なる調理時間を確認することが煩雑であるという問題があった。また、熱湯を容器に注いで放置している間に調理時間を忘れた場合には、パッケージを見直して調理時間を確認しなければならなかった。一方、携帯端末におけるＱＲコード認識機能は電話帳登録機能、メール連係機能、ブックマーク登録機能で利用されているものの、携帯端末間でデータを仲介するために使用されているケースがほとんどであり、他の用途に使用されるケースはあまり多くないのが実情である。
【０００７】
上記事情に鑑み、本発明は、携帯端末のＱＲコード認識機能を有効に利用して、インスタント食品をより簡単かつ手軽に調理できるようにするインスタント食品の調理時間表示方法および調理時間計測方法を提供することを目的とする。
【課題を解決するための手段】
【０００８】
上記課題を解決するため、本発明の第１の観点は、インスタント食品の調理時間を、携帯端末のタイマー機能を呼び出すための識別子とともにバーコードまたは二次元コードにエンコードし、得られたバーコードまたは二次元コードを当該インスタント食品のパッケージに表示することを特徴とするインスタント食品の調理時間表示方法を提供する。
【０００９】
本発明の第１の観点においては、前記バーコードまたは二次元コードは、さらに前記インスタント食品に関する文字列または画像をともにエンコードした構成とすることができる。また、前記バーコードまたは二次元コードは、さらに調理が終了したことを通知するためのサウンドデータをともにエンコードした構成としてもよい。
【００１０】
また、本発明の第２の観点は、携帯端末の制御部で実行することによってインスタント食品の調理時間を計測するためのタイマー機能を実現するタイマープログラムを、当該タイマープログラムを呼び出すための識別子とともにバーコードまたは二次元コードにエンコードし、得られたバーコードまたは二次元コードを当該インスタント食品のパッケージに表示することを特徴とするインスタント食品の調理時間表示方法を提供する。
【００１１】
さらに、本発明の第３の観点は、タイマー機能とバーコードまたは二次元コードを認識する機能とを備えた携帯端末によって、インスタント食品のパッケージに表示されたバーコードまたは二次元コードを認識するステップと、
前記バーコードまたは二次元コードを認識することにより得られた識別子に応じて前記携帯電話のタイマー機能を呼び出すステップと、
前記バーコードまたは二次元コードを認識することにより得られた調理時間を前記携帯端末のタイマー機能によって計測するステップと、を含むことを特徴とするインスタント食品の調理時間計測方法を提供する。
【００１２】
本発明の第３の観点においては、前記携帯端末は文字列または画像を表示する機能をさらに有し、前記バーコードまたは二次元コードを認識することにより得られた文字列または画像を表示するステップを表示するステップをさらに含む構成とすることが可能である。また、前記携帯端末はサウンドデータを再生する機能をさらに有し、前記タイマー機能によって前記調理時間が経過したことを計測すると、前記バーコードまたは二次元コードを認識することにより得られたサウンドデータを再生する構成としてもよい。
【００１３】
さらにまた、本発明の第４の観点は、バーコードまたは二次元コードを認識する機能とを備えた携帯端末によって、インスタント食品のパッケージに表示されたバーコードまたは二次元コードを認識し、当該携帯端末の制御部で実行することにより当該インスタント食品の調理時間を計測するためのタイマー機能を実現するタイマープログラムと、当該タイマープログラムを呼び出すための識別子とを取得するステップと、
前記識別子に基づいて、前記携帯端末の制御部で前記タイマープログラムを実行することにより、前記インスタント食品の調理時間を計測するステップと、を含むことを特徴とするインスタント食品の調理時間計測方法を提供する。
【００１４】
本発明の第４の観点においては、さらに、前記携帯端末に前記タイマープログラムがインストールされていない場合にはインストールを行うステップを含む構成とすることが可能である。
【発明の効果】
【００１５】
本発明は、インスタント食品の調理時間を、携帯端末のタイマー機能を呼び出すための識別子とともにバーコードまたは二次元コードにして当該インスタント食品のパッケージに表示する。したがって、インスタント食品を利用する際に、タイマー機能およびコード認識機能に対応した携帯端末でパッケージに表示されたバーコードまたは２次元コードを認識させ、得られた識別子によって携帯端末のタイマー機能を呼び出し、呼び出されたタイマー機能で同時に得られた調理時間を計測することによって、記憶や煩雑な操作に依存することなくインスタント食品の調理時間を自動的に計測することが可能となる。これによりインスタント食品の利用をより簡便化することができる。また、インスタント食品を利用する際に、パッケージに表示されたバーコードまたは２次元コードに、さらに前記インスタント食品に関する文字列または画像や、調理が終了したことを通知するためのサウンドデータをともにエンコードすれば、タイマー機能によって調理時間を計測している間にインスタント食品の商品名や商品画像を表示したり、調理時間が経過したことをインスタント食品に固有のサウンドデータで通知することも可能となり、商品広告的な効果を追加することも可能となる。さらにまた、インスタント食品に関するキャンペーン情報を含んだＷｅｂページへのＵＲＬをエンコードすれば、よりインタラクティブ性の高いサービスを提供することも可能である。さらにまた、携帯端末の制御部で実行することによりタイマー機能を実現するプログラムをバーコードまたは二次元コードにエンコードすれば、別途ダウンロードすることなくプログラムを取得することが可能となるので、より利用しやすい形態でサービスを実現することが可能となる。
【発明を実施するための最良の形態】
【００１６】
以下、本発明を実施するための最良の形態について説明する。図１は、本発明にかかるインスタント食品の調理時間表示方法を適用したインスタント食品１００を示す図面であり、図２はインスタント食品１００の断面図である。このインスタント食品１００は、剥離可能な蓋部１０１で開口部を覆われたカップ状の容器１０２に麺１０３を収容した構成となっている。このように構成されたインスタント食品１００は、容器１０２に麺１０３を収容したまま蓋部１０１を途中まで剥離させた状態で所定量の熱湯を注ぎ、蓋部１０１を戻して所定の調理時間を経過させることにより調理を完成し、そのまま食べることの可能なものである。本実施形態においては、このようなインスタント食品１００のパッケージである蓋部１０１および容器１０２のいずれかに、インスタント食品１００の調理時間を後述する携帯電話のタイマー機能を呼び出すための識別子とともにエンコードした二次元コード１０４を表示する。図１（ａ）は蓋部１０１に二次元コード１０４を表示した態様を示し、図１（ｂ）は容器１０２の側部に二次元コード１０４を表示した態様を示す。このように２次元コードを表示するには、例えば、二次元コード１０１を印刷したシールを蓋部１０１または容器１０２に貼り付けてもよいし、蓋部１０１または容器１０２に直接印刷してもよく、蓋部１０１または容器１０２をコーティングする樹脂シートにシールを貼り付けるか或いは印刷しても構わない。また、図３は、二次元コード１０４をＱＲコードとした場合の例を示す図面である。
【００１７】
図４は、インスタント食品１００に表示された二次元コード１０４を利用して、本発明にかかるインスタント食品の調理時間測定方法を実施するために用いる携帯端末としての携帯電話２００の機能ブロック図である。図４に示すように、この携帯電話２００は、主として、カメラ部２０１と、コード認識部２０２と、記憶部２０３と、制御部２０５と、通信部２０６と、キー入力部２０７と、表示部２０８と、サウンド部２０９と、から構成されている。
【００１８】
カメラ部２０１は、所定の光学系および受像素子を有し、携帯電話２００にデジタル画像を撮影する機能を提供する。携帯電話２００でデジタル画像を撮影する際には、ユーザがキー入力部２０７で所定の操作を行うことに応じて制御部２０５によってカメラ部２０１が起動される。起動されたカメラ部２０１は、光学系の取得した被写体像から所定露光時間で受像素子が得たデータを制御部２０５へ返す処理を所定時間間隔で繰り返し、当該データを制御部２０５が表示部２０８に表示することによりライブビュー機能を実現する。そして、その状態でユーザがさらにキー入力部２０７で所定の操作を行うことにより、カメラ部２０１は光学系の取得した被写体像から設定された撮影条件で画像データを生成し、生成された画像データは制御部２０５によって記憶部２０３に保存される。また、カメラ部２０１は、取得された画像データをコード認識部２０２に認識させるためのコードリーダとして利用するためのモードを持っていても良い。
【００１９】
コード認識部２０２は、カメラ部２０１によって取得された２次元コードの画像データを認識してデコードし、２次元コードにエンコードされている元のデータを得る機能を提供する。コード認識部２０２が対応する２次元コードについて特に制限はないが、ここでは図３に示すようなＱＲコードに対応している場合を示す。このようなコード認識部２０２は、後述する制御部２０５上で所定のプログラムを実行することにより仮想的に構成される機能ブロックである。
【００２０】
記憶部２０３は、所定の情報を後述する制御部２０５の制御下で記憶し、また制御部２０５に記憶している情報を提供するための読み書き可能なメモリである。記憶部２０３は、タイマーアプリケーション２０４を格納しており、このタイマーアプリケーション２０４を制御部２０５で読み出して実行することにより、所定時間の経過を計測するためのタイマー機能が実現される。
【００２１】
制御部２０５は、不図示のＣＰＵ上で所定のプログラムを実行することにより仮想的に構成される機能ブロックであって、携帯電話２００のカメラ部２０１、コード認識部２０２、記憶部２０３、通信部２０６、キー入力部２０７、表示部２０８およびサウンド部２０９といった各機能ブロックとの間でデータおよび制御信号をやり取りすることにより、携帯電話２００の各種機能を実現するものである。
【００２２】
通信部２０６は、制御部２０５の制御下で動作することにより、移動体通信網と接続し、別のノードとの通信を行う機能を提供する。ここでの通信としては、例えば、他の携帯電話や固定電話と通信接続して行う回線交換型通信、他の携帯電話またはサーバと接続して行うパケット交換型通信等が挙げられる。前述したように、記憶部２０３にはタイマーアプリケーション２０４が記憶されているが、タイマーアプリケーション２０４は例えば移動体通信網上のサーバから通信部２０６を介してダウンロードすることにより取得されたものであっても構わない。
【００２３】
キー入力部２０７は、携帯電話２００の筐体に設けられたキーパッド、ならびにその他ボタン等の入力装置であり、ユーザが操作することにより各キーまたはボタンに応じた信号であるキーイベントが制御部２０５に通知され、種々の操作ないしは制御に利用される。
【００２４】
表示部２０８は、液晶表示装置または有機液晶表示装置であって、携帯電話２００の動作状態、携帯電話２００を操作するためのユーザインターフェイス等を制御部２０５の制御下で表示するものである
サウンド部２０９は、制御部２０５の制御下で動作することにより、所定フォーマットのメロディデータに従って鳴動し、所望のサウンドを生成する機能を提供する。このようなサウンド部２０９は、例えば音源チップおよびスピーカーから構成することが可能である。
【００２５】
次に、本実施形態において、インスタント食品１００の調理時間を携帯電話２００を利用して計測する第１から第３の動作について、図５から図７のフローチャートを参照しながら説明する。
最初に図５のフローチャートを参照しながら、第１の動作について説明する。まず、インスタント食品１００のパッケージに表示された２次元コード１０４を携帯電話２００のカメラ部２０１で撮影する（ＳＴ１０１）。ここでの撮影は、携帯電話２００がカメラ部２０１をバーコードリーダーとして利用するためのモードを持っている場合には、当該モードに設定した上で行われる。次に、撮影された２次元コード１０４の画像データをコード認識部２０２で認識し、エンコードされている識別子およびインスタント食品１００の調理時間の値を取得する（ＳＴ１０２）。
【００２６】
次に、制御部２０５によって、取得された識別子がタイマー機能を呼び出すためのものであるかが判断される（ＳＴ１０３）。ここで、取得された識別子がタイマー機能を呼び出すための識別子であると判断された場合には、制御部２０５がタイマーアプリケーション２０４を起動する（ＳＴ１０４）。この際、ＳＴ１０２で取得された調理時間の値が、タイマーアプリケーション２０４にパラメータとして渡される。なお、ＳＴ１０３において、取得された識別子がタイマー機能を呼び出すための識別子であると判断されなかった場合には、タイマーアプリケーション２０４は起動されず、携帯電話２００は他の処理を行うことになるが説明は省略する。
【００２７】
ＳＴ１０４において調理時間をパラメータとして渡されたタイマーアプリケーション２０４は、続いて表示部２０８に調理時間を表示し、カウントダウンを開始する（ＳＴ１０５）。その後、周期的に調理時間が経過したかの判断が行われ（ＳＴ１０６）、調理時間が経過したと判断されると制御部２０５はサウンド部２０９を制御してアラーム音を鳴らしてユーザに通知し（ＳＴ１０７）、これにより調理時間を計測する一連の動作を終了する。
【００２８】
このような第１の動作によれば、インスタント食品１００の調理を行うユーザは、インスタント食品の調理時間や調理を開始した時刻を記憶することなく、携帯電話１００を利用して２次元コード１０４を認識させるだけの動作でインスタント食品１００に固有の調理時間が経過することを計測することが可能である。
【００２９】
次に、図６のフローチャートを参照しながら第２の動作について説明する。この動作は、２次元コード１０４に、携帯電話のタイマー機能を呼び出すための識別子と、インスタント食品の調理時間と、グラフィックスと、メロディデータとがエンコードされており、これらを利用する点で第１の動作と相違するが、動作の概略は同様である。まず、インスタント食品１００のパッケージに表示された２次元コード１０４を携帯電話２００のカメラ部２０１で撮影し（ＳＴ２０１）、撮影された２次元コード１０４の画像データをコード認識部２０２で認識することによりエンコードされている識別子、インスタント食品の調理時間、グラフィックスおよびメロディデータを取得する（ＳＴ２０２）。
【００３０】
次に、取得された識別子がタイマー機能を呼び出すためのものであるかが判断され（ＳＴ２０３）、識別子がタイマー機能を呼び出すための識別子であると判断された場合には、調理時間の値をパラメータとして渡しつつタイマーアプリケーション２０４を起動する（ＳＴ２０４）。ＳＴ２０３において、取得された識別子がタイマー機能を呼び出すための識別子であると判断されなかった場合の説明は省略する。
【００３１】
ＳＴ２０４で起動されたタイマーアプリケーション２０４は、調理時間を表示し、カウントダウンを開始する（ＳＴ２０５）。その後、調理時間が経過したかの判断が行われ（ＳＴ２０６）、調理時間が経過したと判断されると制御部２０５は２次元コード１０４から取得されたグラフィックスを表示し（ＳＴ２０７）、サウンド部２０９で２次元コードから得られたサウンドデータを再生し（ＳＴ２０８）、これにより調理時間を計測する一連の動作を終了する。
【００３２】
このような第２の動作によれば、携帯電話１００を利用して２次元コード１０４を認識させるだけの動作でインスタント食品１００に固有の調理時間が経過することを計測することが可能なばかりでなく、調理時間が経過した時点で商品の広告宣伝にかかるグラフィックスと、コマーシャルソング等のサウンドとを、インスタント食品１００を調理して食べる直前のユーザに提供することが可能となるので、極めて効果的にインスタント食品１００に関する広告宣伝を行うことができる。なお、２次元コード１０４にインスタント食品１００に関するＵＲＬをエンコードすることにより、携帯電話１００からネットワークを介して当該ＵＲＬにアクセスして同様にグラフィックスやサウンドデータを取得することも可能であるが、この第２の動作では２次元コード１０４からグラフィックスやサウンドデータを取得できるためネットワークにアクセスする必要がないという利点を有している。
【００３３】
次に、図７のフローチャートを参照しながら第３の動作について説明する。この動作は、２次元コード１０４に、携帯電話１００の制御部２０５で実行することによりタイマー機能を実現するタイマーアプリケーション２０４のプログラムを、タイマーアプリケーション２０４を呼び出すための識別子とともにエンコードしており、これらを利用する点で第１および第２の動作と相違するが、動作の概略は同様である。まず、インスタント食品１００のパッケージに表示された２次元コード１０４を携帯電話２００のカメラ部２０１で撮影し（ＳＴ３０１）、撮影された２次元コード１０４の画像データをコード認識部２０２で認識することによりエンコードされている識別子およびタイマーアプリケーション２０４のプログラムを取得する（ＳＴ３０２）。
【００３４】
次に、取得された識別子がタイマー機能を呼び出すためのものであるかが判断され（ＳＴ３０３）、識別子がタイマー機能を呼び出すための識別子であると判断された場合には、ひき続いて、携帯電話１００にタイマーアプリケーション２０４がインストール済みであるかが判断される（ＳＴ３０４）。なお、ＳＴ２０３において、取得された識別子がタイマー機能を呼び出すための識別子であると判断されなかった場合の説明は省略する。
【００３５】
このＳＴ３０４で、タイマーアプリケーション２０４がインストール済みであると判断された場合には、調理時間の値をパラメータとして渡しつつタイマーアプリケーション２０４が起動される（ＳＴ３０６）。一方、ＳＴ３０４でタイマーアプリケーション２０４がインストール済みであると判断されなかった場合には、２次元コード１０４から取得されたタイマーアプリケーション２０４のプログラムが携帯電話１００にインストールされ（ＳＴ３０５）、携帯電話１００でタイマーアプリケーション２０４が実行可能な状態とされてから、同様にＳＴ３０６でタイマーアプリケーション２０４が起動される。
【００３６】
以下、起動されたタイマーアプリケーション２０４で調理時間を表示し、カウントダウンを開始する（ＳＴ３０７）。その後、調理時間が経過したかの判断が行われ（ＳＴ３０８）、調理時間が経過したと判断されると制御部２０５がサウンド部２０９でアラームを鳴らし（ＳＴ３０８）、これにより調理時間を計測する一連の動作を終了する。
【００３７】
このような第３の動作によれば、携帯電話１００を利用して２次元コード１０４を認識させるだけの動作でインスタント食品１００に固有の調理時間が経過することを計測することが可能なばかりでなく、タイマーアプリケーション２０４のインストールされていない携帯電話１００においても２次元コード１０４を利用してインスタント食品の調理時間を計測することができる。また、このような動作ではインスタント食品１００ごとにタイマーアプリケーション２０４を提供することもでき、これにより第２の動作と同様な広告宣伝的機能をタイマーアプリケーション２０４で実現することも可能である。
【００３８】
なお、第３の動作では、２次元コード１０４にタイマーアプリケーション２０４のプログラムをエンコードすることが前提となるが、携帯電話１００の制御部２０５は様々なＣＰＵ、ＯＳおよびミドルウェア等により構成されるため、制御部２０５をＪａｖａ（登録商標）実行環境等によって抽象化し、タイマーアプリケーション２０４のプログラムをＪａｖａ（登録商標）アプリケーションの形態で提供することが好適である。
【００３９】
以上、本発明の実施の形態について説明したが、本発明はこれに限定されることなく、その趣旨を逸脱しない範囲で種々の改良・変更が可能であることは勿論である。
例えば、上記実施形態においては、インスタント食品１００として容器１０２に収容されたインスタント麺を示したが、これに限らず袋状の包装体からなるパッケージに収容されたものに本発明にかかるインスタント食品の調理時間表示方法を適用してもよい。また、電子レンジ等を利用して所定の調理時間加熱する冷凍食品やインスタント食品に本発明を適用することも可能である。
【００４０】
また、図５から図７に示したフローチャートは、それぞれ本発明にかかる調理時間計測方法を例示したものに過ぎず、これらに限定されるものではない。例えば、起動されたタイマーアプリケーション２０４で調理時間の計測を開始する前にキー入力部２０７の操作を要求するようにしてもよいし、調理時間が経過する前にサウンドやグラフィックスを提供するようにしても構わない。また、２次元コード１０４には、タイマーアプリケーション２０４のプログラムをダウンロードするための情報をエンコードしておき、必要に応じてユーザにダウンロードさせるようにしても構わない。
【００４１】
さらに、本発明にかかる調理時間計測方法は、ＰＤＡのような携帯電話以外の携帯端末で実施することも可能であり、２次元コード１０４にインスタント食品に関するキャンペーン情報を含んだＷｅｂページへのＵＲＬをエンコードすれば、よりインタラクティブ性の高いサービスを提供することも可能である。
【図面の簡単な説明】
【００４２】
【図１】（ａ），（ｂ）本発明にかかるインスタント食品の調理時間表示方法を適用したインスタント食品を示す斜視図。
【図２】本発明にかかるインスタント食品の調理時間表示方法を適用したインスタント食品の断面図。
【図３】本実施形態における２次元コードの一例を示す図面。
【図４】本発明にかかるインスタント食品の調理時間測定方法を実施するために用いる携帯電話の機能ブロック図。
【図５】本発明の実施形態にかかる第１の動作のフローチャート。
【図６】本発明の実施形態にかかる第２の動作のフローチャート。
【図７】本発明の実施形態にかかる第３の動作のフローチャート。
【符号の説明】
【００４３】
１００  インスタント食品
１０１  蓋部
１０２  容器
１０３  麺
１０４  ２次元コード
２００  携帯電話
２０１  カメラ部
２０２  コード認識部
２０３  記憶部
２０５  制御部
２０６  通信部
２０７  キー入力部
２０８  表示部
２０９  サウンド部
【図１】
2009060263.tif 000003
【図２】
2009060263.tif 000004
【図３】
2009060263.tif 000005
【図４】
2009060263.tif 000006
【図５】
2009060263.tif 000007
【図６】
2009060263.tif 000008
【図７】
2009060263.tif 000009